【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
通信装置であって、
外部装置と接続する接続手段と、
前記外部装置からコンテンツデータを受信する受信手段と、
前記接続手段により接続した前記外部装置との接続モードを判断する判断手段と、
前記判断手段により、前記接続モードが、前記外部装置から受信するコンテンツデータを、前記外部装置に対する操作によって選択する第一の接続モードであると判断された場合、前記通信装置からの指示によって前記外部装置の電源をオフするための操作を有効にしないよう制御し、
前記判断手段により、前記接続モードが、前記外部装置から受信するコンテンツデータを、前記通信装置に対する操作によって選択する第二の接続モードであると判断された場合、前記通信装置からの指示によって前記外部装置の電源をオフするための操作を有効にするよう制御する制御手段とを有する通信装置。
【請求項２】
前記制御手段は前記外部装置と前記通信装置との接続を切断するための操作を受け付けるためのアイコンを、前記受信した複数のコンテンツと共に表示部に表示させることで、前記外部装置と前記通信装置との接続を切断するための操作を有効にすることを特徴とする請求項１に記載の通信装置。
【請求項３】
前記外部装置のデバイス名を前記コンテンツと共に表示することを特徴とする請求項２に記載の通信装置。
【請求項４】
前記外部装置との接続は、前記外部装置が参加しているネットワークを介した接続であり、前記外部装置との接続を切断する場合、前記ネットワークから離脱することを特徴とする請求項１乃至３のいずれか１項に記載の通信装置。
【請求項５】
前記外部装置との接続は、前記外部装置が生成しているネットワークを介した接続であり、前記外部装置との接続を切断する場合、前記ネットワークから離脱することを特徴とする請求項１乃至３のいずれか１項に記載の通信装置。
【請求項６】
公衆網回線を介して他機と通話する機能を更に有し、
前記接続手段は、前記公衆網回線を介さない通信によって前記外部装置と接続することを特徴とする請求項１乃至５のいずれか１項に記載の通信装置。
【請求項７】
前記外部装置のディスプレイがオフである場合、前記制御手段は、前記外部装置の電源をオフするための操作を有効にすることを特徴とする請求項１乃至６のいずれか１項に記載の通信装置。
【請求項８】
前記第二のモードは、前記第一のモードよりも、前記外部装置と前記通信装置とが接続するまでに必要となるユーザの操作量が少ないことを特徴とする請求項１乃至７のいずれか１項に記載の通信装置。
【請求項９】
前記判断手段により前記接続モードが第一のモードであると判断された場合、前記制御手段は、前記通信装置と前記外部装置との接続を切断するための操作を有効にするとともに、前記外部装置の電源をオフするための操作を有効にせず、
前記判断手段により前記接続モードが第二のモードであると判断された場合、前記制御手段は、前記外部装置の電源をオフするための操作と、前記通信装置と前記外部装置との接続を切断するための操作とを有効にすることを特徴とする請求項１乃至８のいずれか１項に記載の通信装置。
【請求項１０】
前記外部装置の電源をオフするための操作は、前記外部装置と前記通信装置との接続を切断するための操作よりも制限されることを特徴とする請求項１乃至９のいずれか１項に記載の通信装置。
【請求項１１】
撮像装置であって、
被写体を撮像して画像データを生成する撮像手段と、
前記撮像手段により生成される前記画像データを記録媒体に記録するよう制御する記録制御手段と、
第一の接続モードと第二の接続モードを含む複数のモードのうち、いずれかのモードで外部装置と接続する接続手段と、
前記記録媒体に記録されている画像データを前記外部装置に送信する送信手段と、
前記外部装置から所定の通知を受信する受信手段と、
前記接続モードが前記第一の接続モードである外部装置から所定の通知を受信した場合、前記外部装置との接続を切断するよう制御し、前記接続モードが第二の接続モードである外部装置から所定の通知を受信した場合、前記撮像装置の電源をオフするよう制御する制御手段とを有し、
前記第一の接続モードで接続した場合、前記送信手段により前記外部装置に送信する画像データを、前記撮像装置に対する操作によって選択し、
前記第二の接続モードで接続した場合、前記送信手段により前記外部装置に送信する画像データを、前記外部装置に対する操作によって選択することを特徴とする撮像装置。
【請求項１２】
ビーコンを定期的に送信することによってネットワークを生成する生成手段を更に有し、
前記外部装置との接続は、前記ネットワークを介した接続であることを特徴とする請求項１１に記載の撮像装置。
【請求項１３】
ネットワーク生成のためのハードウェアボタンを更に有し、
前記生成手段は、前記ハードウェアボタンの操作によって前記ネットワークの生成を開始することを特徴とする請求項１２に記載の撮像装置。
【請求項１４】
ディスプレイにメニュー表示する機能を有し、
前記生成手段は、前記表示されるメニューに対する操作によって前記ネットワークの生成を開始することを特徴とする請求項１２または１３に記載の撮像装置。
【請求項１５】
通信装置の制御方法であって、
外部装置と接続する接続ステップと、
前記外部装置からコンテンツデータを受信する受信ステップと、
前記接続ステップで接続した前記外部装置との接続モードを判断する判断ステップと、
前記判断ステップで、前記接続モードが、前記外部装置から受信するコンテンツデータを、前記外部装置に対する操作によって選択する第一の接続モードであると判断された場合、前記通信装置からの指示によって前記外部装置の電源をオフするための操作を有効にしないよう制御し、
前記判断ステップで、前記接続モードが、前記外部装置から受信するコンテンツデータを、前記通信装置に対する操作によって選択する第二の接続モードであると判断された場合、前記通信装置からの指示によって前記外部装置の電源をオフするための操作を有効にするよう制御する制御ステップとを有する通信装置の制御方法。
【請求項１６】
撮像装置の制御方法であって、
被写体を撮像して画像データを生成する撮像ステップと、
前記撮像ステップで生成される前記画像データを記録媒体に記録するよう制御する記録制御ステップと、
第一の接続モードと第二の接続モードを含む複数のモードのうち、いずれかのモードで外部装置と接続する接続ステップと、
前記記録媒体に記録されている画像データを前記外部装置に送信する送信ステップと、
前記外部装置から所定の通知を受信する受信ステップと、
前記接続モードが前記第一の接続モードである外部装置から所定の通知を受信した場合、前記外部装置との接続を切断するよう制御し、前記接続モードが第二の接続モードである外部装置から所定の通知を受信した場合、前記撮像装置の電源をオフするよう制御する制御ステップとを有し、
前記第一の接続モードで接続した場合、前記送信手段により前記外部装置に送信する画像データを、前記撮像装置に対する操作によって選択し、
前記第二の接続モードで接続した場合、前記送信手段により前記外部装置に送信する画像データを、前記外部装置に対する操作によって選択することを特徴とする撮像装置の制御方法。
【請求項１７】
コンピュータを、請求項１乃至１０のいずれか１項に記載の通信装置の各手段として機能させるコンピュータが読み取り可能なプログラム。
【請求項１８】
コンピュータを、請求項１１乃至１４のいずれか１項に記載の撮像装置の各手段として機能させるコンピュータが読み取り可能なプログラム。